(57)【要約】      （修正有）【課題】歯科用人工歯の販売デバイスである人工歯付座板に関し、座板に人工歯が貼付された状態でモールドガイドやシェードガイドとして活用する事のできるものの提供。【解決手段】モールドガイドを構成する複数の上下顎の前歯人工歯付座板セット２それぞれには、少なくとも形態、大きさ及び色調の一つ以上が異なる人工歯組が添付されており、前歯人工歯付座板に基準端を含む台座４を設け、人工歯切歯の場合は切縁が、人工歯犬歯の場合は尖頭が基準端から０．１〜２．０ｍｍ以内に設け、対合歯を合わせて対峙するための基準端を全ての上下顎の前歯人工歯付座板セットが有する。【選択図】図２
2008220976.tif 000002
【特許請求の範囲】
【請求項１】
前歯人工歯組が貼付された複数の前歯人工歯付座板からなるモールドガイドであって、
少なくとも1つ以上の大きさが異なる人工歯組が添付され前歯人工歯付座板を有し、
前歯人工歯付座板に基準端を設け、人工歯切歯の場合は切縁が、人工歯犬歯の場合は尖頭が基準端から０．１〜２．０ｍｍ以内に設け、対合歯を合わせて対峙するための基準端を全ての前歯人工歯付座板が有することを特徴とするモールドガイド。
【発明の詳細な説明】
【技術分野】
【０００１】
本発明は、歯科用人工歯の販売デバイスである人工歯付座板に関し、座板に人工歯が貼付された状態でモールドガイドやシェードガイドとして活用する事もできるものである。
また、対合歯の関係にある人工歯付座板を咬合面または切端に合わせて対峙する事で、選択した場合の人工歯の使用状況を容易に観察できる人工歯付座板に関する。更に、モールドガイドとしては口腔内の残存歯、審査診断模型や作業模型と対峙させ人工歯の寸法や形態検討するための材料に関する。
【背景技術】
【０００２】
本発明は人工歯の販売するための包装材料である座板に関すると同時、モールドガイド、シェードガイドとしても用いられる座板に関するものである。
人工歯の販売形態は、一歯のみの単独販売もあるが、特定の複数歯を座板に添付して販売されている。一般的には義歯床を作製した時の状態を、視覚的にイメージし易くするために、上下顎別に前歯は６歯、臼歯は８歯を一組として、一つの座板に張り付けられている。特に従来の座板は、主には総義歯での使用を前提に開発された人工歯を貼り付けていた。昨今の部分床義歯の増加に伴い、部分義歯の症例において使用した場合には実用的に不便な点も多い。
例えば残存歯列への対峙や上下顎人工歯の組み合わせ選択の際に、座板形状がそれらの作業性を損なう場合が多々ある。
【０００３】
具体的に座板に貼りつけられて市販されている人工歯は、同一の形態、大きさ及び色調で、前歯上顎の場合６歯（左右中切歯、左右側切歯、左右犬歯）、前歯下顎の場合６歯（左右中切歯、左右側切歯、左右犬歯）、臼歯上顎の場合8歯（左右第一小臼歯、左右第二小臼歯、左右第一大臼歯、左右第二大臼歯）、臼歯下顎の場合８歯（左右第一小臼歯、左右第二小臼歯、左右第一大臼歯、左右第二大臼歯）を一組として座板に貼り付けられたものがある。また、これらの座板を組み合わせてモールドガイドとしている。
【０００４】
モールドガイドとは患者の顔貌や趣向にあわせ人工歯の形態や大きさを検討および選択する場合に用いる。また義歯作製用の作業模型上で人工歯の形態や寸法的な検討および選択に用いる。特に部分床義歯においては人工歯選択に有用なツールである。例えば患者の側面に人工歯セットを持ち出し、患者の趣向の確認や、実際に口腔内に這わせてみるなどの方法がある。
モールドガイドは前臼歯上下顎の形態、大きさ、色調の違うものが系統的に表されたものである。この様なモールドガイドが大半を占めている。
【０００５】
シェードガイドとは患者の肌の色や趣向に合わせ人工歯の色調を選択する際に用いる。また、患者の残存歯に対峙させ人工歯の色調を選択する場合に用いる。
また、従来から販売されている座板には、モールドガイドやシェードガイドとして使用できるように考えられたものも存在する。
松風社製のエンデュラ人工歯の人工歯付座板は、人工歯の定着されている部分が座板のほぼ中央にあり、異種形態の組み合わせ検討および選択には障害となっていた。市販の人工歯付座板は、人工歯が座板のほぼ中央に人工歯が定着されており、異種形態の組み合わせ検討や選択には障害になっていた。
前歯については機能的な検討に関わる切縁部の座板幅が広くまた商品名が印記されており、形態的な対向関係を検討する際の障害となっていた。
【０００６】
米国特許公報２３４１１５３号はモールドガイドの発明でなく、人工歯座板の発明である。図には、座板に基準端を含む台座を設けた前歯人工歯付座板が記載されている。大きい人工歯セットを添付する場合も小さい人工歯セットを添付する場合も、全ての人工歯が基準端から一定の範囲に収まることは記載されていない。
米国特許公報２２７６７０１号はモールドガイドの発明でなく、人工歯座板の発明である。前歯人工歯付座板は試適に用いる（特に、明細  書第１頁左欄第１１−１６行を参照）ことが記載されている。大きい人工歯セットを添付する場合も小さい人工歯セットを添付する場合も、全ての人工歯が基準端から一定の範囲に収まることは記載されていない。
【特許文献１】米国特許公報２３４１１５３号
【特許文献２】米国特許公報２２７６７０１号
【発明の開示】
【発明の効果】
【０００７】
本発明の人工歯付座板は、人工歯の選択性能を向上する。具体的には、大きさやや形状を任意に選択する場合に適している。本発明の人工歯付座板は、台座を基準とした場合の人工歯の貼付位置が安定させることができる。本発明の人工歯付座板は、人工歯の対峙関係を容易に判断することができる。本発明の人工歯付座板は、座板に人工歯を貼付した状態で試適を正確にすることができる。本発明の人工歯付座板は、色調を正確に試適できる。本発明の人工歯付座板は、人工歯を座板に添付したまま、被蓋関係を確認することができる。試適時における色調再現性が高いことから、容易に適した人工歯を判断することができる。更に、人工歯の被蓋関係を容易に判断することができる。
【発明が解決しようとする課題】
【０００８】
従来は人工歯の座板への貼り付けを規則的に配置されておらず、患者に最適の形態、大きさ、色調を、機能的に選択することが困難であった。
歯科医師等の術者は、義歯床を装着しようとする患者の容貌等の状態に最適な人工歯を、様々な形態、大きさ、色調から選択する必要がある。臨床では患者に最適な人工歯を選択することが、咀嚼機能の回復、適正咬合関係の再構築、審美機能の回復など患者のQOLの向上を実現する上で非常に重要な要件である。
【０００９】
しかしながら、その一般的な選択手法は、人工歯座板に機能的な選択性が考慮されていないことから、形態及び大きさに関してはモールドチャートから患者の顔貌に調和した形態と、患者の口腔内デンチャースペースに適した大きさを感覚のみで、また、色調に関しては、色調見本より、残存歯との調和や患者の好みにより選択されている。さらに、症例によっては、上下顎で違った大きさや形態を組み合わせて選択する場合も発生するが、いずれの場合も、人工歯の選択作業は非常に煩雑であることから、座板に貼付した状態で最適な人工歯を機能的に選択することは困難である。
【００１０】
すなわち、市販されている人工歯座板は、人工歯が動かないように貼り付けて販売するための装飾的要素が主目的であり、形態、大きさ、色調の機能的な選択性は考慮されていないのが現状である。具体的には、形態及び大きさの選択は、人工歯を貼り付ける座板の基準線が人工歯の中心部に設定されており、前歯切端部及び臼歯舌側部と座板の一辺からの距離が大きさによって変化するため、座板に貼付した状態で判断することが困難であり、非常に不向きである。
【００１１】
さらに、人工歯の中心部にワックスや粘着性テープで切端部を浮かして貼り付けられているため、切縁部が不安定で動きやすく、貼り付け時のばらつきや輸送及び保管時の環境条件により、切端部のラインが一定せず定着にばらつきが生じる結果、最適な形態及び大きさの選択には非常に不向きである。
すなわち、上下顎の人工歯座板の切縁部を対向させて選択する場合、形態、大きさの違いにより空間距離が一定せず、また、組み合わせによっては非常に離れすぎるため、座板に貼付された状態で人工歯の形態及び大きさの組み合わせを選択するには非常に不向きである。
【００１２】
さらに、対合歯や残存歯がある場合には、座板に貼付された状態で口腔内や模型上で対合歯や残存歯と対峙させにくいため、上下顎の形態及び大きいさの選択には非常に不向きである。また、前歯の色調選択は、人工歯を座板に貼り付けた状態で口腔内の残存した対合歯に近づけて選択する場合、座板の表面性状は光沢があり、歯肉の反映の影響も考慮されていないため、正確な色調判断や形態選択が困難であり、非常に不向きである。
【課題を解決するための手段】
【００１３】
本発明は、義歯作製用人工歯を貼付した前歯人工歯付座板であって、座板に基準端を含む台座を設け、人工歯切歯の場合は切縁が、人工歯犬歯の場合は尖頭が
基準端から０．１〜２．０ｍｍ以内に、設けることを特徴とする前歯人工歯付座板である。
本発明は、上下顎の前歯人工歯付座板を基準端で相対するように設計された座板である。
【００１４】
本発明は、義歯作製用人工歯を貼付した前歯人工歯付座板であって、座板の一端と人工歯切端部との間に座板の一端に面した帯状の一端を基準端とする台座を設け、人工歯切歯の場合は切縁が、人工歯犬歯の場合は尖頭が、基準端から０．１〜２．０ｍｍ以内に、設けることを特徴とする前歯人工歯付座板である。
【００１５】
本発明は、人工歯付座板であって、座板は長方形柱であり、上面に義歯作製用人工歯を貼付し、座板と人工歯切端部との間に、座板の長辺に接した１．０〜５．０ｍｍ幅の帯状の台座を設け、人工歯は台座に掛合し、座板の横長辺の一端から０．１〜２．０ｍｍ以内に、座板の辺の一端に最も近い人工歯の切縁を有することを特徴とする前歯人工歯付座板である。
本発明は、義歯作製用人工歯を貼付した前歯人工歯付座板の基準端で前記前歯人工歯付座板の人工歯と対合する前歯人工歯付座板の人工歯が相対するように設計された前歯人工歯付座板である。
【００１６】
本発明は、人工歯付座板であって、上下顎人工歯付座板一対の基準端を合わせて配置することを特徴とする人工歯付座板セットである。
本発明は、人工歯付座板であって、人工歯付座板の基準端に対合歯の人工歯付座板の基準端を合わせて対峙させ人工歯を選択することを特徴とする人工歯選択方法である。
【００１７】
本発明は、基準端から人工歯止機構の間に基準端と平行に上面から底面に向かってスリットを設け、スリットを境に人工歯付座板を折り曲げることができる機構を有する人工歯付座板である。
本発明は、人工歯付座板のスリットで人工歯付座板を折り曲げ、下顎前歯の人工歯付座板と被蓋させる事ができることを特徴とする。
本発明は、人工歯の歯頚部付近まで歯肉色をした歯頚部ホルダーを有する人工歯付座板である。
【発明を実施するための最良の形態】
【００１８】
義歯作製用人工歯とは、口腔内で使用できる市販人工歯であれば何でも良く、前歯であれば上顎３番〜３番の計６本または下顎の３番〜３番の計６本のことである。また、義歯作製用人工歯は、レジン歯、陶歯、金属咬頭歯など人工歯であれば何でも良い。特に義歯作製用人工歯が前歯である場合が好ましい。
人工歯は、上下顎切縁の対向関係が把握できるよう直線的に設定されていることが好ましい。人工歯は、座板の横長辺の一端から０．１〜２．０ｍｍに添付されることが好ましい。好ましくは０．３〜１．５ｍｍ、更に好ましくは、０．５〜１．０ｍｍである。この範囲に設定される人工歯の部分は座板の辺の一端に最も近い人工歯の切縁の部分である。犬歯については尖頭である事が多い。
人工歯切端部とは、人工歯の切端を含む人工歯端部のことである。
【００１９】
切縁とは、前歯の歯冠頂縁端のことをいう。この前歯切縁部が座板の一端から０．１〜２ｍｍ以内に配置されている更に好ましくは、０．５〜１.５ｍｍ以内に配置されている。または、この前歯切縁部が台座上に配置されている。
前歯人工歯付座板は、義歯作製用人工歯を付け販売する包装材料であり、その他の用途としてモールドガイドやシェードガイドとして利用されている。特に好ましい利用の形態は座板に定着された状態でモールドガイドやシェードガイドとして活用することである。
【００２０】
座板の形状は、一以上の辺を有する平板状である。具体的な座板の形状は長方形柱であり、基準端を有する面は、底面とほぼ直交する面であり、座板の横長辺を含む面のことである。長方形柱の上面が人工歯を添付する面である。また、座板の形状は、座板の一端と人工歯切端部との間に有する。また、座板の一端に面した帯状をしており、長方一端を基準端としている。座板は長方形柱である事が好ましい。台座は座板と人工歯切端部との間設けることが好ましい。台座は座板の長辺に接した１．０〜５．０ｍｍ幅の帯状の台座であることが好ましく、１．５〜３．０ｍｍ幅が好ましく更に１．５〜２．５ｍｍ幅が好ましい。
【００２１】
台座には、人工歯が掛合していることが好ましい。特に、台座が人工歯を人工歯列に形成できる形状である場合は、かならず、掛合しなければならない。台座は、座板の一辺に沿った四角柱状又は帯状であることが好ましい。四角柱状である事が好ましい。
基準端は、座板の底面と垂直な座板の一辺を含む平面上にある、台座の一辺のことである。基準端の長さは、１０〜２００ｍｍである。好ましくは５０〜１５０ｍｍ、更に好ましくは５０〜６５ｍｍである。座板の長方形柱の大きさは、１０〜２００ｍｍ×１５〜３０ｍｍの長方形である。平板もしくは長方形柱の高さは０．５〜２０ｍｍである。好ましくは、３〜６ｍｍである。
【００２２】
座板の色は、彩色系、無彩色系など任意に選択できるが、好ましくは、無彩色が好ましく、更につや消しの黒又はグレーが好ましい。座板の材質は、プラスチック製、木製、紙製、金属製など特にこだわらない。好ましくは、スチレン樹脂、ＡＢＳ樹脂、アクリル樹脂、ポリカーボネート樹脂など熱可塑性樹脂で成型されたプラスチック製である。
【００２３】
基準端とは、座板上にある一端である。対合歯と切縁部側をつき合わせた場合に基準端同士が合うように設計されていることが好ましい。前歯人工歯付座板を基準端で相対するとは、前歯人工歯を対峙させるように上下顎の座板を基準端側で摺接させることである。
【００２４】
前歯人工歯付座板を基準端で相対するように設計するとは、基準端を長軸とする長方形で、底面と垂直の平面とすることである。
【００２５】
座板への定着は、人工歯止機構を用いて座板に人工歯が定着していれば足り、特に人工歯を用いて義歯を作製する場合は、人工歯を取り外さなければならない為、具体的な人工歯止機構はワックス、粘着テープ、粘着性シート、樹脂、ゴムなどで人工歯を座板に固定することができる。
【００２６】
台座とは人工歯の切縁部と座板との間に設けられた台の事である。台座に基準端を設けている。この台座は、人工歯を貼付する場合のガイドとして用いる。
台座の形状は、前歯人工歯切縁を保持安定できれば良い。好ましくは平面状である。
台座の構造は、上面から見た場合、前歯切縁側に基準端を直線で設定し、基準端と平行に幅１．５ｍｍから２．５ｍｍの帯状の棚を設定する。
【００２７】
本発明の上下顎人工歯付座板一対を、両人工歯付座板の基準端を合わせて配置することは好ましい。
本発明は、人工歯付座板であって、上顎人工歯を患者で試適し、下顎人工歯を試適した上顎人工歯と試適することができる。人工歯付座板の基準端に対合歯の人工歯付座板の基準端を合わせて対峙させ人工歯を試適し、選択ができる。
【００２８】
本発明の人工歯付座板のスリットは、基準端から人工歯止機構の間に基準端と平行に上面から底面に向かって設けている切り込みのことである。このスリットを境に、座板が折れ曲がり、切端部が容易に座板から突出する事が好ましい。折れ曲げた場合に台座と共に折れ曲がる場合がある。特に、上額前歯に本スリットを設けることが好ましい。スリットの部分で台座を折り曲げることができるが、通常は定着しており、折り曲げた後は、蝶着されている事が好ましい。また折り曲げた後に取り外すことができるようにする事は好ましい。また、折り曲げた後に底面部が係合する事が好ましい。
本発明の上顎前歯の人工歯付座板のスリットを境に、座板が折れ曲げた状態とし、下顎前歯の人工歯付座板と被蓋させる事ができる。
【００２９】
歯頚部ホルダーは、歯肉色である事が好ましい。更に、歯頚部ホルダーの歯肉色だけを交換シェードガイドであることが好ましい。
歯頚部ホルダーは人工歯の歯頚部付近まで覆われていることが好ましく、態様によっては歯頚部を完全に覆うことができない場合でもよい。
歯頚部ホルダーは、ワックス、アクリル樹脂、ゴム、スポンジ等で作製することができる。
歯頚部ホルダーの材質は、弾性を有するゴム、スポンジなどが好ましい。
歯頚部ホルダーを人工歯付座板に着脱しないのであれば、ワックスで作製することが好ましい。
【図面の簡単な説明】
【００３０】
【図１】本発明の人工歯付座板の上面図
【図２】本発明の人工歯付座板を対峙させた上面図
【図３】本発明の人工歯付座板の側面図
【図４】本発明の人工歯付座板の斜視図
【図５】上顎人工歯の座板をスリットにて折り曲げ、上下顎の人工歯を対峙させた人工歯付座板の上面図
【図６】歯頚部ホルダーを装着した人工歯付座板の上面図
【符号の説明】
【００３１】
人工歯
２座板
３基準端
４台座
５人工歯止機構
６スリット
７歯頚部ホルダー
【図１】
2008220976.tif 000003
【図２】
2008220976.tif 000004
【図３】
2008220976.tif 000005
【図４】
2008220976.tif 000006
【図５】
2008220976.tif 000007
【図６】
2008220976.tif 000008